(57)【特許請求の範囲】
【請求項１】
一端側から他端側の観察を可能とする可撓性を有した長尺状の観察機器を誘導するためのガイド手段がガイドスペースに設けられており、
前記ガイド手段の他端側をガイド手段長手方向に対して交差する方向に移動させる移動手段を有する建物。
【請求項２】
室内側に設けられ、前記観察機器を挿入するための開口部と、前記開口部を閉止する閉止部材と、を有する請求項１に記載の建物。
【請求項３】
前記開口部は、サッシ上部、及びサッシ上部に隣接する壁面に設けられており、前記ガイド手段の他端が小屋裏に配置されている請求項１または請求項２に記載の建物。
【請求項４】
複数の建物ユニットを含んで構成され、前記ガイド手段が建物ユニット毎に設けられている請求項１〜請求項３の何れか１項に記載の建物。
【請求項５】
前記建物ユニットは工場で製造され、前記ガイド手段は工場で前記建物ユニットに取り付けられている請求項４に記載の建物。
【請求項６】
断熱層を有し、前記ガイド手段は前記断熱層を貫通している請求項１〜請求項５の何れか１項に記載の建物。
【請求項７】
前記ガイド手段は、前記観察機器の基端側が配置される箇所から点検箇所まで延びている、請求項１〜請求項６の何れか１項に記載の建物。
【請求項８】
前記ガイド手段は曲線状に形成されている請求項１〜請求項７の何れか１項に記載の建物。
【請求項９】
前記ガイド手段は、前記一端側から前記点検箇所が直視できないように曲線状に形成されている請求項８に記載の建物。
【請求項１０】
前記ガイド手段は、分岐を介して複数の他端を有している請求項１〜請求項９の何れか１項に記載の建物。
【発明の詳細な説明】
【技術分野】
【０００１】
本発明は、建物に係り、小屋裏、天井裏、壁内スペース、床下等のスペースをファイバースコープ、電子スコープ等の可撓性を有する長尺状の観察機器（SCOPE）を用いて簡単に点検することが可能な建物に関する。
【背景技術】
【０００２】
引用文献１のシロアリ等防除ロボットシステムでは、視覚部を備えたアクチュエータを搭載した搬送装置を床下で移動して床下の点検を行ったり、調査員が屋根裏に入って屋根裏や壁内の検査を行う。
【０００３】
また、近年提案されている長期優良住宅では、小屋裏空間に対する点検口の設置については、小屋裏空間毎に点検口を設置し、その全域に渡って点検することが求められている。しかしながら、陸屋根の場合においては、屋根と天井との間の空間が非常に狭く、点検口から小屋裏空間を点検することは構造上難しい。その場合、ダウンライト用の開口等より、ファイバースコープ等の観察機器を用いて小屋裏全体を見渡すことが考えられる。
【先行技術文献】
【特許文献】
【０００４】
【特許文献１】特開２００８−２３７１８１号公報。
【発明の概要】
【発明が解決しようとする課題】
【０００５】
ところで、特許文献１のロボットシステムを用いて床下を検査する場合には、搬送装置を入れる大きな穴を床に開けなければならず、天井裏や壁内を点検する場合には、調査員が屋根裏に入るための開口が必要となる問題がある。
【０００６】
一方、建物が陸屋根構造の場合、点検口からの小屋裏内部の点検が難しいことから、ダウンライト取り付け用の開口等を用いることとなるが、実際の作業上、天井上面に配置したグラスウールが邪魔をしてグラスウールの上方へファイバースコープの先端を出すことが困難である。また、ダウンライトを取り外すには手間もかかる。
【０００７】
本発明は上記事実を考慮し、建物内のスペースを、ファイバースコープ等の観察機器で簡単に点検することが可能な建物の提供を目的とする。
【課題を解決するための手段】
【０００８】
請求項１に記載の建物は、一端側から他端側の観察を可能とする可撓性を有した長尺状の観察機器を誘導するためのガイド手段がガイドスペースに設けられており、前記ガイド手段の他端側をガイド手段長手方向に対して交差する方向に移動させる移動手段を有する。
【０００９】
次に、請求項１に記載の建物の作用を説明する。
一端側から他端側の観察を可能とする可撓性を有した長尺状の観察機器、例えば、ファイバースコープ、電子スコープ等を用いることで、人間が目視することが困難な奥まった箇所や狭いガイドスペースである点検箇所を、室内等の離れた位置から容易に点検することが可能となる。
【００１０】
この種の観察機器は可撓性を有するため、点検箇所に向けて押し込もうとすると、点検箇所に到達する前に予期せぬ方向へ曲ってしまい、観察機器の先端を点検したい点検箇所に到達させることが困難となるが、観察機器の先端を点検箇所へ誘導できるようにガイド手段を予め建物に設けておけば、観察機器を押し込むのみで、観察機器はガイド手段によって誘導され、他端を、ガイドスペースである、例えば、小屋裏、壁内スペース、天井裏、床下等の点検箇所へ容易に到達させることができる。
また、請求項１に記載の建物では、移動手段によってガイド手段の他端側をガイド手段長手方向に対して交差する方向に移動させることで、観察機器の先端がガイド手段長手方向に対して交差する方向に移動され、観察機器を操作する事無く、点検箇所を広範囲に渡って観察することができる。
【００１１】
請求項２に記載の発明は、請求項１に記載の建物において、室内側に設けられ、前記観察機器を挿入するための開口部と、前記開口部を閉止する閉止部材と、を有する。
【００１２】
次に、請求項２に記載の建物の作用を説明する。
請求項２に記載の建物では、室内側に開口する開口部から観察機器を押し込むことができ、観察機器を用いて室内から点検箇所を点検することができる。
また、点検箇所の点検を行わない場合には、閉止部材で開口部を塞ぐことができる。
なお、閉止部材を、例えば、廻り縁、巾木等の内装部材とすることで、開口部を塞ぐための専用の部材を必要とせずに開口部を塞ぐことができる。なお、開口部にガイド手段の一端を接続することが好ましいが、開口部に観察機器を挿入することでガイド手段の一端へ観察機器が挿入できれば、開口部とガイド手段とは若干離れていても良い。
【００１３】
請求項３に記載の発明は、請求項１または請求項２に記載の建物において、前記開口部は、サッシ上部、及びサッシ上部に隣接する壁面に設けられており、前記ガイド手段の他端が小屋裏に配置されている。
【００１４】
次に、請求項３に記載の建物の作用を説明する。
請求項３に記載の建物では、観察機器をサッシ上部、及びサッシ上部に隣接する壁面に設けた開口部から押し込むことができ、点検箇所が小屋裏等で有る場合に、開口部が点検箇所に近い位置に配置されることとなり、点検が容易になり、また、ガイド手段の長さを短くすることができる。
【００１５】
請求項４に記載の発明は、請求項１〜請求項３の何れか１項に記載の建物において、複数の建物ユニットを含んで構成され、前記ガイド手段が建物ユニット毎に設けられている。
【００１６】
次に、請求項４に記載の建物の作用を説明する。
請求項４に記載の建物は、複数の建物ユニットを含んで構成された、所謂ユニット建物であり、ガイド手段が建物ユニット毎に設けられているため、各建物ユニットに設けたガイド手段によって観察機器を各建物ユニットの点検箇所へ容易に到達させることができる。
【００１７】
請求項５に記載の発明は、請求項４に記載の建物において、前記建物ユニットは工場で製造され、前記ガイド手段は工場で前記建物ユニットに取り付けられている。
【００１８】
次に、請求項５に記載の建物の作用を説明する。
請求項５に記載の建物では、ガイド手段が予め工場で建物ユニットに取り付けられているため、建物の施工現場にてガイド手段を取り付ける必要がなく、建物の施工時に手間が掛からない。
【００１９】
請求項６に記載の発明は、請求項１〜請求項５の何れか１項に記載の建物において、断熱層を有し、前記ガイド手段は前記断熱層を貫通している。
【００２０】
次に、請求項６に記載の建物の作用を説明する。
請求項６に記載の建物では、断熱層を有しているが、ガイド手段が断熱層を貫通して設けられているため、観察機器を断熱層に干渉させることなく、断熱層の向こう側へ容易に誘導することができる。
【００２１】
請求項７に記載の発明は、請求項１〜請求項６の何れか１項に記載の建物において、前記ガイド手段は、前記観察機器の基端側が配置される箇所から点検箇所まで延びている。
【００２２】
次に、請求項７に記載の建物の作用を説明する。
請求項７に記載の建物では、ガイド手段が、観察機器の基端側が配置される箇所、即ち観察者のいる位置から点検箇所まで延びているため、観察機器の先端を確実に点検箇所へ到達させることができる。
【００２３】
請求項８に記載の発明は、請求項１〜請求項７の何れか１項に記載の建物において、前記ガイド手段は曲線状に形成されている。
【００２４】
次に、請求項８に記載の建物の作用を説明する。
請求項８に記載の建物では、ガイド手段は曲線状に形成されているため、観察機器は点検箇所へ向けて曲線状に誘導される。
【００２５】
請求項９に記載の発明は、請求項８に記載の建物において、前記ガイド手段は、前記一端側から前記点検箇所が直視できないように曲線状に形成されている。
【００２６】
次に、請求項９に記載の建物の作用を説明する。
請求項９に記載の建物では、ガイド手段の一端側から点検箇所が直視できないようにガイド手段が曲線状に形成されているので、ガイド手段の一端側から点検箇所を直視することを制限できる。
【００２７】
請求項１０に記載の発明は、請求項１〜請求項９の何れか１項に記載の建物において、前記ガイド手段は、分岐を介して複数の他端を有している。
【００２８】
次に、請求項１０に記載の建物の作用を説明する。
請求項１０に記載の建物では、ガイド手段が分岐を介して複数の他端を有しているため、複数の点検箇所の各々に他端を配置することで、一箇所から複数の点検箇所に観察機器を誘導することができる。
【発明の効果】
【００４９】
以上説明したように請求項１に記載の建物は上記の構成としたので、建物内のガイドスペースを、ファイバースコープ等の観察機器で簡単に点検することができる、という優れた効果を有する。また、請求項１に記載の建物は、ガイド手段の他端側をガイド手段長手方向に対して交差する方向に移動させる移動手段を有するので、点検箇所を広範囲に渡って観察することができる。
【００５０】
請求項２に記載の建物は上記構成としたので、開口部が閉止部材塞がれ、異物や空気の流通が防止される。閉止部材を、例えば、廻り縁、巾木等の内装部材とすることで、見映えの低下が抑えられる。
【００５１】
請求項３に記載の建物は上記構成としたので、小屋裏の点検が容易になり、また、ガイド手段の長さを短くすることができる。
【００５２】
請求項４に記載の建物は上記構成としたので、観察機器を各建物ユニットの点検箇所へ容易に到達させることができる。
【００５３】
請求項５に記載の建物は上記の構成としたので、施工現場にてガイド手段を取り付ける必要がなく、建物の施工時に手間が掛からない。
【００５４】
請求項６に記載の建物は上記の構成としたので、観察機器を断熱層に干渉させることなく、断熱層の向こう側へ容易に誘導することができる。
【００５５】
請求項７に記載の建物は上記の構成としたので、観察機器の先端を確実に点検箇所へ到達させることができる。
【００５６】
請求項８に記載の建物は上記の構成としたので、観察機器を点検箇所へ向けて曲線状にスムーズに誘導することができる。
【００５７】
請求項９に記載の建物は上記の構成としたので、ガイド手段の一端側から点検箇所を直視することを制限できる。
【００５８】
請求項１０に記載の建物は上記の構成としたので、一箇所から複数の点検箇所に観察機器を誘導でき、作業者が点検箇所毎に移動する必要が無くなる。
【図面の簡単な説明】
【００６８】
【図１】建物のサッシ上部近傍の断面図である。
【図２】ガイドチューブの他端側の斜視図である。
【図３】ユニット建物の斜視図である。
【図４】（Ａ）は第２の実施形態に係る建物の天井裏付近の断面図であり、（Ｂ）はガイドチューブブラケットで支持されたガイドチューブの端部付近の斜視図である。
【図５】第３の実施形態に係る建物のガイドチューブの配置図である。
【図６】（Ａ）第３の実施形態に係るガイドチューブの蓋で閉止された他端側の断面図であり（Ｂ）はガイドチューブの他端側の斜視図であり、（Ｃ）は蓋が開いた状態のガイドチューブの他端側の断面図である。
【図７】建物ユニット間の小屋裏を示す建物の断面図である。
【図８】分岐ボックスの斜視図である。
【図９】第５の実施形態に係る建物のガイドチューブの端部付近の斜視図である。
【図１０】壁の上部付近を示す断面図である。
【図１１】廻り縁の拡大断面図である。
【図１２】壁の下部付近を示す断面図である。
【図１３】第７の実施形態に係る建物の廻り縁付近の断面図である。
【図１４】第８の実施形態に係る建物の壁の断面図である。
【図１５】図１４に示す壁の下部付近の拡大断面図である。
【図１６】（Ａ）、（Ｂ）、（Ｃ）は、開口部を利用した例を示す説明図である。
【発明を実施するための形態】
【００６９】
［第１の実施形態］
以下、図１を用いて、本発明の第１の実施形態に係る建物１０について説明する。図１には陸屋根を有する一般の住宅である建物１０の一部分が断面図にて示されている。
【００７０】
建物１０の天井大梁１２の室外側（矢印ＯＵＴ方向側）には、枠状の外装フレーム１４、及び外装材１６を含んで構成された外壁パネル１８が配置されている。
外装フレーム１４は、溝型鋼からなる天井大梁１２、及び図示しない床大梁の室外側の側面に取り付けられており、天井大梁１２と床大梁とを掛け渡すように上下方向に延びる複数本の縦桟２０Ａと、縦桟２０Ａの端部同士を掛け渡すように水平方向に延びる横桟２０Ｂ等を含んで枠状に構成されている。
【００７１】
図１に示すように、外壁パネル１８には、室外側にアルミサッシ２２が取り付けられ、アルミサッシ２２の室内側に木製の窓枠２４が取り付けられている。
また、外壁パネル１８の室内側（矢印ＩＮ方向側）には、桟２６に取り付けられた内装材３０が配置され、内装材３０と外壁パネル１８との間に断熱材３２が配置されている。
【００７２】
天井大梁１２の上側には略水平とされた屋根材３４が間隔を開けて配置され、屋根材３４は、桟３６、及び金具３８を介して天井大梁１２に支持されている。
一方、天井大梁１２の下面には、桟４０を介して天井材４２が取り付けられており、天井材４２の上には、断熱材４４が敷設されている。
【００７３】
窓枠２４の上枠２４Ａには、開口部４６が形成され、開口部４６には垂直に配置されたガイドチューブ４８の一端（下端）が接続されている。
ガイドチューブ４８は、開口部４６から上方に延びて桟２６、天井材４２、断熱材４４等を貫通し、先端（上端）が断熱材４４の上面よりも上側の空間部分である小屋裏５０に配置されている。
【００７４】
本実施形態の開口部４６は、径が５〜１０ｍｍ程度であるが１０ｍｍを超えても良い。開口部４６は、建物１０の施工現場で加工しても良く、建物１０が工場で製造されるユニット住宅等である場合には、工場で加工しても良い。
また、ガイドチューブ４８は、施工現場で取り付けても良く、建物１０が工場で製造されるユニット住宅等である場合には、工場で取り付けても良い。
なお、ガイドチューブ４８の内径は、ファイバースコープ、電子スコープ等の可撓性を有する長尺状の観察機器５２を挿入可能に設定されている。
【００７５】
なお、本実施形態において、ガイドチューブ４８の一端とは、観察機器５２を挿入する室内側の端部を意味する。一方、ガイドチューブ４８の他端とは、一端の反対側、即ち挿入した観察機器５２が突出する側（点検箇所側）の端部を意味する。
また、観察機器５２の基端とは作業者が観察する側（接眼レンズやモニターのある側）を意味する。一方、観察機器５２の先端とは対物レンズが取り付けられている側、即ち、観察対象物側の端部を意味する。
【００７６】
なお、開口部４６は、通常は図１に示すような栓５１が差し込まれて塞がれるようになっている。この栓５１は、上側に開口する異物受け部としての凹部５１Ａを有している。
【００７７】
（作用）
本実施形態の建物１０において、小屋裏５０の点検を行う場合には、窓枠２４の開口部４６から栓５１を抜き、開口部４６から観察機器５２の先端５２Ａを挿入し、観察機器５２をガイドチューブ４８の他端側に向けて徐々に送り込む。こうすることで、観察機器５２はガイドチューブ４８の内壁に案内されながらガイドチューブ４８の他端４８Ａへと向かう。
【００７８】
観察機器５２を送り込む際には、観察機器５２の基端側で先端側の様子を見ながら行い、ガイドチューブ４８の他端４８Ａから観察機器５２の先端５２Ａが突出するまで観察機器５２を送り込む。
【００７９】
ガイドチューブ４８の他端４８Ａから観察機器５２の先端５２Ａを突出させることで、観察機器５２の基端側、即ち、室内側からガイドチューブ４８の他端４８Ａが配置されている小屋裏５０の点検箇所を容易に点検することができる。
なお、先端５２Ａの向きを変えることのできる観察機器５２を用いている場合には、先端５２Ａの向きを変えて周囲を見渡すことができる。
【００８０】
点検作業が終了したら、栓５１で開口部４６を塞ぐ。ガイドチューブ４８の他端側から塵等がチューブ内に進入することが考えられるが、進入した塵等は栓５１の凹部５１Ａに溜まるので、室内への落下が防止される。
ガイドチューブ４８の材質は、観察機器５２を傷付け難い合成樹脂等が好ましい。ガイドチューブ４８としては、例えば、塩ビ管、ＣＤ管、ＰＦ管等を用いることができる。
【００８１】
［第２の実施形態］
次に、図２にしたがって、本発明の第２の実施形態について説明する。なお、第１の実施形態と同一構成には同一符合を付し、その説明は省略する。
図２に示すように、本実施形態のガイドチューブ４８は、他端側に柱部５３を介して円盤状のキャップ５４が配置され、他端４８Ａとキャップ５４との間には、ガイドチューブ側方に向けて、観察機器５２が出入り可能な開口５６が形成されている。
【００８２】
ガイドチューブ４８の他端側にキャップ５４を配置することで、観察機器５２の先端５２Ａがガイドチューブ４８の他端４８Ａから軸方向、即ち上方向へ行過ぎないように、観察機器５２の上方への移動を制限することができ、図２に示すように、開口５６から観察機器５２の先端５２Ａを横向きに突出させることで、常に一定の高さ（天井上面を基準）で、建物１０の躯体を見回すことが可能となる。
【００８３】
なお、キャップ５４の設けられていないガイドチューブ４８の他端４８Ａが、例えば、柱、梁等の建物構造体に対向して接近して配置されている場合、観察機器５２を送り込んだ際に、観察機器５２の先端５２Ａが建物構造体に当たって損傷することが考えられる。そのような虞のある場合には、他端側にキャップ５４を備えたガイドチューブ４８を用いることで、観察機器５２の先端５２Ａが建物構造体に接触することを未然に防止することができる。
【００８４】
［第３の実施形態］
次に、図３乃至図６にしたがって本発明の第３の実施形態に係る建物１０について説明する。なお、前述した実施形態と同一構成には同一符合を付し、その説明は省略する。
図３に示すように、本実施形態の建物１０は所謂ユニット建物であり、例えば、工場で製造された複数の建物ユニット５８を施工現場にて連結することで構成されているものである。なお、図３において、符合１１は床大梁、符合１３は柱である。
【００８５】
図４、及び図５に示すように、建物ユニット５８の天井材４２には、蓋５９で閉塞可能な矩形の天井点検口６０が形成されており、天井点検口６０には、各建物ユニットに向けて延びる複数のガイドチューブ４８の一端が集中して配置されている。
図４に示すように、点検箇所にある天井大梁１２には、ガイドチューブ４８の他端４８Ａを天井大梁１２に支持するためのガイドチューブブラケット６２が取り付けられている。
【００８６】
ガイドチューブブラケット６２は弾性を有する合成樹脂で形成されており、ガイドチューブ４８を挿入する環状部６２Ａ、及び環状部６２Ａから延びて天井大梁１２の上フランジ１２Ａに引掛ける二股の引掛け部６２Ｂを備えている。引掛け部６２Ｂの二股の一方は、上フランジ１２Ａの上面に沿って配置される先端が上フランジ１２Ａの端部に引っ掛かるように折り曲げられており、二股の他方は、上フランジ１２Ａの下面に沿って配置され、二股部分で上フランジ１２Ａを挟み込んでいる。
【００８７】
本実施形態では、ガイドチューブ４８の他端側をガイドチューブブラケット６２によって天井大梁１２に固定しているので、ガイドチューブ４８の一端側から観察機器５２を挿入して送り込むのみで、ガイドチューブ４８の他端４８Ａから観察機器５２の先端５２Ａを、点検箇所、本実施形態では天井大梁１２に向けて確実に突出させることができる。
【００８８】
なお、ガイドチューブ４８の他端は、開口したままではなく、図６（Ａ），（Ｂ）に示すように、ヒンジ６４を介して開閉可能な蓋６６を設けても良い。ヒンジ６４は、ガイドチューブ４８の他端４８Ａの上部に設けられ、ヒンジ６４から自重で垂下するように蓋６６が設けられている。実施形態の建物１０では、通常時は、図６（Ａ）に示すように、ガイドチューブ４８の先端の開口が蓋６６で塞がれているので、ガイドチューブ４８の内部に空気が出入りすることが防止され、ガイドチューブ４８の内部が汚れることを防止できる。
【００８９】
また、図６（Ｂ）に示すように、蓋６６の裏面には、ガイドチューブ４８の他端４８Ａが配置されている箇所（建物ユニットや部屋等）を識別するための識別情報（建物ユニットの番号、部屋の名前等）６８が付与されている。
本実施形態では、観察機器５２を見ながらガイドチューブ４８に送り込むことで、ガイドチューブ４８の他端４８Ａから観察機器５２の先端５２Ａが出る前に、蓋６６の裏面に付与された識別情報６８が見えるので、作業者は、これから点検する箇所を確実に知ることができる。
【００９０】
そして、識別情報６８を見てから、更に観察機器５２を送り込むことで、図６（Ｃ）に示すように、観察機器５２の先端５２Ａで蓋６６を押し退けてガイドチューブ４８の他端４８Ａから観察機器５２の先端５２Ａを出すことができる。
【００９１】
なお、図６（Ａ）に示すように、蓋６６の裏面側の下部に、ガイドチューブ４８からの塵、液体等が他端側に漏れないように塵、液体等を受ける受部６６Ａを設けても良い。
【００９２】
なお、ガイドチューブ４８は、１本の連続したものに限らず、途中で継いであっても良い。例えば、予め工場にて、建物ユニット５８毎にガイドチューブ４８を取り付けておき、施工現場にて、一方の建物ユニット５８と他方の建物ユニット５８とを連結する際に、図７に示すように、一方の建物ユニット５８のガイドチューブ４８と、他方の建物ユニット５８のガイドチューブ４８とをユニットの繋ぎ目部分で継手４９を用いて接続しても良い。
【００９３】
［第４の実施形態］
次に、図８にしたがって本発明の第４の実施形態に係る建物１０について説明する。なお、前述した実施形態と同一構成には同一符合を付し、その説明は省略する。
第３の実施形態では、建物ユニット毎にガイドチューブ４８が設けられ、ガイドチューブ４８の一端側が一箇所に集中して配置されていたが、第４の実施形態の建物１０では、図８に示すように、室内側に配置されて観察機器５２を挿入するのは１本のガイドチューブ７０Ａのみであり、ガイドチューブ７０Ａの先端には、分岐ボックス７２を介して複数のガイドチューブ７０Ｂ〜Ｅが接続されている。
【００９４】
分岐ボックス７２は、単なる箱であり、互いに対向する一方の壁面７２Ａ（２点鎖線で図示）に室内側からのガイドチューブ７０Ａが接続され、他方の壁面７２Ｂに各建物ユニット５８（図８では図示せず）に繋がる複数のガイドチューブ７０Ｂ〜Ｅが接続されている。
【００９５】
また、他方の壁面７２Ｂには、ガイドチューブ７０Ｂ〜Ｅの接続部分近傍に、ガイドチューブ７０Ｂ〜Ｅの先端の配置されている建物ユニット５８を識別するための識別情報（建物ユニットの番号、部屋の名前等）７４が付与されている。
【００９６】
点検を行う場合には、室側のガイドチューブ７０Ａから観察機器５２を挿入し、観察機器５２で分岐ボックス７２の壁面７２Ｂに付与されている識別情報６８を見て、所望の建物ユニット５８のガイドチューブに観察機器５２を挿入すれば、所望の建物ユニット５８に向けて観察機器５２を確実にガイドすることができる。
【００９７】
また、第３の実施形態の建物１０では、複数本のガイドチューブ４８ａ〜ｆを一箇所に集中して配置する関係で、室側の開口が大きく成らざるを得ないが、本実施形態の建物１０では、１本のガイドチューブ７０Ａを室側に配置すれば良いので、室側の開口は小さくて済む。
【００９８】
なお、分岐ボックス７２は、小屋裏５０等の建物内のガイドスペース内であれば配置する位置は特に限定されず、任意の位置に配置することができる。
【００９９】
［第５の実施形態］
次に、図９にしたがって本発明の第５の実施形態に係る建物１０について説明する。なお、前述した実施形態と同一構成には同一符合を付し、その説明は省略する。
図９に示すように、本実施形態では、天井大梁１２の長手方向に沿って延びるガイドレール７６が、取付金具７８を介して天井大梁１２に取り付けられている。
【０１００】
ガイドレール７６には、フレキシブルなガイドチューブ４８の他端側を支持するガイドチューブ支持部材７９がスライド自在に取り付けられている。
また、本実施形態では、ガイドチューブ４８には、一対のエアホース８０Ａ，Ｂが並行して設けられており、一方のエアホース８０Ａはガイドチューブ４８の図面右側に、他方のエアホース８０Ｂはガイドチューブ４８の図面左側に取り付けられている。
【０１０１】
また、右側のエアホース８０Ａの先端部分は右側に向けて曲げられており、左側のエアホース８０Ｂの先端部分は左側に向けて曲げられている。
エアホース８０Ａ又はエアホース８０Ｂの室内側の基端に、エアコンプレッサー等を接続し、圧縮空気を送り込むと、エアホース８０Ａ又はエアホース８０Ｂの先端から圧縮空気が噴出し、その反動でガイドチューブ支持部材７８を移動することが出来る。
【０１０２】
例えば、右側のエアホース８０Ａの先端から圧縮空気を噴出させることで、ガイドチューブ支持部材７８を左側（矢印Ｌ方向側）へ移動させることができ、左側のエアホース８０Ｂの先端から圧縮空気を噴出させることで、ガイドチューブ支持部材７８を右側へ移動させることができ、観察機器５２を天井大梁１２の長手方向に沿って移動させることで、広範囲に渡って点検を行うことが出来る。
【０１０３】
なお、本実施形態では、ガイドチューブ支持部材７８を、圧縮空気の噴出によって移動する構成としたが、ガイドチューブ支持部材７８は圧縮空気の噴出するものに限らず、種々の移動装置（アクチュエータ）を用いて移動することができる。
【０１０４】
例えば、ガイドレール７６に並行してモータで回転する長ネジを配置すると共に、ガイドチューブ支持部材７８に長ネジに螺合するナットを取り付け、長ネジを回転させることで、ガイドチューブ支持部材７８を長ネジに沿って移動することが出来る。
【０１０５】
また、ガイドチューブ支持部材７８にモータを取り付け、モータの回転軸に取り付けたローラをガイドレールに接触させる構成としても良い。この構成では、ローラを回転させることで、ガイドチューブ支持部材７８をガイドレール７６に沿って移動することができる。なお、モータの電気配線は、ガイドチューブ４８に沿って配置することができ、室内側からモータへ電力を供給することが出来る。
【０１０６】
［第６の実施形態］
次に、図１０乃至図１２にしたがって本発明の第６の実施形態に係る建物１０について説明する。なお、前述した実施形態と同一構成には同一符合を付し、その説明は省略する。
第１の実施形態では、観察機器５２を挿入する開口部４６を窓枠２４に形成したが、本発明はこれに限らず、図１０に示すように開口部４６を内装材３０の上端付近に形成し、開口部４６を廻縁８４で隠している。本実施形態では、ガイドチューブ４８の他端４８Ａが壁内スペースに配置されており、壁内スペースの点検を容易に行うことができるようになっている。
【０１０７】
図１１に示すように、本実施形態の建物１０では、開口部４６の形成された内装材３０と、開口部４６を塞いでいる廻縁８４に、各々面ファスナー８６が貼り付けられており、廻縁８４の着脱が容易になっている。
【０１０８】
通常時は、廻縁８４で開口部４６が隠されており、点検時には廻縁８４を外すことで開口部４６が開放され、観察機器５２の挿入が可能となる。
【０１０９】
なお、開口部４６は、図１２に示すように内装材３０の床８９側に形成しても良く、床８９側に開口部４６を形成した場合には、開口部４６を巾木９１によって隠すことも出来る。この巾木９１も廻縁８４と同様に、内装材３０に対して面ファスナー８６（図１２では図示せず）で着脱可能にできる。
【０１１０】
なお、開口部４６に接続したガイドチューブ４８の他端４８Ａを床下に配置すれば、床下の点検が容易に可能となる。なお、床下を点検するための開口部４６は、床下に近い内装材３０の床８９側に形成することが好ましい。
【０１１１】
［第７の実施形態］
次に、図１３にしたがって本発明の第７の実施形態に係る建物１０について説明する。なお、前述した実施形態と同一構成には同一符合を付し、その説明は省略する。
図１３に示すように、本実施形態の廻縁８８は、弾性を有する合成樹脂で形成されおり、内装材３０に固定される固定部８８Ａを備え、固定部８８Ａには、内装材３０に形成された開口部４６と対向する位置に孔９０が形成されている。また、固定部８８Ａの上部にはインテグラルヒンジ８８Ｂが形成されており、固定部８８Ａにはインテグラルヒンジ８８Ｂを介して蓋部８８Ｃが開閉可能に取り付けられている。
【０１１２】
固定部８８Ａの下部には凹部９２が形成されている。一方、蓋部８８Ｂの下端側には、凹部９２に引っ掛かる凸部９４が形成され、凸部９４が凹部９２に引っ掛かることで、図１３に実線で示す様に、蓋部８８Ｂが固定部８８Ａに平行に配置され、孔９０、及び開口部４６が見えないように蓋部８８Ｂによって塞がれる。
【０１１３】
本実施形態の廻縁８８を用いることで、内装材３０の開口部４６を容易に開放することが出来る。
なお、この廻縁８８と同様の構成を巾木に適用することもできる。
【０１１４】
［第８の実施形態］
次に、図１４、及び図１５にしたがって本発明の第８の実施形態に係る建物１０について説明する。なお、前述した実施形態と同一構成には同一符合を付し、その説明は省略する。
図１４に示すように、本実施形態の建物１０には、内板１００と外板１０２との間で、かつ上桟１０４と下桟１０６との間に、袋状のカバー１０８で覆われた断熱材１１０が配置されている。カバー１０８は、断熱材１１０の湿潤防止用に用いられ、防湿性を有する材料で形成されている。
【０１１５】
また、カバー１０８と外板１０２との間には、通気層（隙間）１１２が設けられている。そしてカバー１０８には、外板側にカバー内外へ通気を促すための小孔１１４が複数形成されている。なお、本実施形態のカバー１０８が、本発明の誘導通路に相当している。
【０１１６】
袋状のカバー１０８は、一部分１０８Ａが内板１００の孔１１５から室内側へ延ばされており、一部分１０８Ａの先端が開口している。この開口は観察機器５２をカバー内に挿入してカバー内部の状態を点検するための点検出入口となっている。
【０１１７】
さらに、本実施形態の建物１０には、内板１００と外板１０２との間に、チューブ１１６の中間部分がカバー１０８の外周を上下に１周するように配置されている。このチューブ１１６の一端１１６Ａ、及び他端１１６Ｂは、内板１００の孔１１５を介して室内側（矢印ＩＮ方向側）へ延ばされている。
【０１１８】
本実施形態のチューブ１１６は、透明な合成樹脂で形成されて可撓性（柔軟性）を有しており、通常は、断熱材１１０に押し潰されて断熱材１１０が上桟１１８と下桟１２０との間に隙間無く充填されるようになっているが、チューブ１１６に観察機器５２を挿入したり、気体を供給した時には、略円形の管状に変形することができる。
【０１１９】
また、チューブ１１６には、図示されない微小な小孔が多数形成されており、内部に供給した気体、例えば、乾燥空気や殺虫剤を含むガスが小孔を介して内板１００と外板１０２との間の空間に噴出可能となっている。
【０１２０】
本実施形態の建物１０では、カバー１０８の一部分１０８Ａの開口から観察機器５２を挿入することで、カバー内の断熱材１１０の状態を点検することが出来る。
【０１２１】
また、本実施形態の建物１０では、チューブ１１６の一端１１６Ａまたは他端１１６Ｂから観察機器５２を挿入することで、透明なチューブ１１６を介して内板１００と外板１０２との間の壁体内をくまなく点検することが出来る。
【０１２２】
点検内容としては、例えば、浸水被害等での壁体内の浸水、又は湿潤状況、雨漏りや壁体内結露による壁体内の湿潤状況、上記等による壁体内のカビの発生、害虫の発生、及び躯体の損傷（例えば、木造での腐朽、シロアリ被害、鉄骨での錆の発生等）を上げることが出来る。
【０１２３】
なお、内板１００と外板１０２との間に殺虫剤を含んだガスや乾燥空気を供給したい場合には、チューブ１１６の一端１１６Ａから殺虫剤を含んだガスや乾燥空気を供給することで、チューブ１１６の小孔を介してガスや乾燥空気を内板１００と外板１０２との間に噴出させることが出来る。
【０１２４】
図１５に示すように、カバー１０８の一部分１０８Ａ、及びチューブ１１６の一端、及び他端は、内装材３０にネジ止めされた係止片１２２と、係止片１２２に引掛けられる巾木１２４との間に挟み込んで閉じることができる。
通常は、内装材３０の開口部４６が巾木１２４によって塞がれるので、室内の気密性は確保される。
【０１２５】
［第９の実施形態］
上記実施形態では、内装材３０に形成した開口部４６から観察機器５２を挿入し、壁内や小屋裏内の点検を行う例を説明したが、開口部４６は他の用途にも利用可能である。
図１６には、第１の部屋１２６Ａの内装材３０Ａと、第２の部屋１２６Ｂの内装材３０Ｂとの間のスペースの点検を行う例が記載されており、第１の部屋１２６Ａの内装材３０Ａ、及び第２の部屋１２６Ｂの内装材３０Ｂに、各々観察機器５２を挿入可能な開口部４６が形成され、該スペースにはガイドチューブ４８が配置されている。
【０１２６】
この開口部４６から、例えば、図１６（Ａ）に示すように観察機器５２を壁内に挿入して壁内の点検を行うことができ、図１６（Ｂ）に示すように一方の開口部４６からホース１２８を挿入し、ホース１２８から壁内に乾燥温風を供給して壁内の乾燥を行うこともでき、さらには図１６（Ｃ）に示すように、一方の開口部４６から紫外線殺菌灯１３０を挿入すると共に、他方の開口部４６から挿入したホース１２８から殺菌・消毒剤（気体、液体、粉末等）を噴出し、壁内の殺菌・消毒を行うこともできる。
【０１２７】
［その他の実施形態］
上記実施形態では、観察機器５２のガイドを行う部材が一定径のチューブ形状であったが、観察機器５２のガイドを行う部材の形状は一定径のチューブ形状に限定されるものでは無く、観察機器５２のガイドを行うことができれば、一定径のチューブ形状以外の形状、例えば、蛇腹形状であっても良く、他の形状であっても良い。
【０１２８】
上記実施形態では、小屋裏５０や壁内スペースの点検を行う例を示したが、屋根裏、床下、階段下等のガイドスペースにガイドチューブ４８を配置し、屋根裏、床下、階段下等に観察機器５２を挿入して点検することも出来る。
【０１２９】
ガイドチューブ４８は、直線状に限らず、曲線、直線と曲線との組み合わせ等、種々の形態を取ることができ、室内側から点検箇所が直視できないように曲線状に形成されても良い。
【符号の説明】
【０１３０】
１０    建物
２２    アルミサッシ
２４Ａ  上枠
２４    窓枠
４４    断熱材（断熱層）
４６    開口部
４８    ガイドチューブ（ガイド手段）
４８Ａ  他端
５０    小屋裏（スペース）
５１Ａ  凹部（異物受け部）
５１    栓（閉止部材）
５２    観察機器
５２Ａ  先端
５４    キャップ（規制手段）
５８    建物ユニット
６６    蓋（閉止部材）
６６Ａ  受部（異物受け部）
６８    識別情報
７２    分岐ボックス（分岐）
７８    支持金具
７９    ガイドチューブ支持部材
８０Ａ  エアホース（移動手段）
８０Ｂ  エアホース（移動手段）
８４    廻縁（閉止部材）
８８    廻縁（閉止部材）
９１    巾木（閉止部材）
１０８  カバー（誘導手段）
１１４  小孔
【図１】
0005486323.tif 000002
【図２】
0005486323.tif 000003
【図３】
0005486323.tif 000004
【図４】
0005486323.tif 000005
【図５】
0005486323.tif 000006
【図６】
0005486323.tif 000007
【図７】
0005486323.tif 000008
【図８】
0005486323.tif 000009
【図９】
0005486323.tif 000010
【図１０】
0005486323.tif 000011
【図１１】
0005486323.tif 000012
【図１２】
0005486323.tif 000013
【図１３】
0005486323.tif 000014
【図１４】
0005486323.tif 000015
【図１５】
0005486323.tif 000016
【図１６】
0005486323.tif 000017